(57)【要約】【課題】  素早く釣針を外すことが可能となる釣針外しを提供する。【解決手段】  釣針を魚から外す釣針外し部３と、この釣針外し部３が取り付けられている釣針外し本体２とを備え、釣針外し本体２は、この釣針外し本体２の一部が水面から上方に突出する浮力を有する。浮力は、例えば、釣針外し本体２を水より比重が小さい材料で形成して得られる。釣針外し本体２は、棒状に形成され、この釣針外し本体２の一端部に釣針外し部３が設けられ、この釣針外し本体２の他端部が水面から突出することが好ましい。【選択図】図１
2008054692.tif 000002
【特許請求の範囲】
【請求項１】
釣針を魚から外す釣針外し部と、この釣針外し部が取り付けられている釣針外し本体とを備えた釣針外しであって、前記釣針外し本体は、この釣針外し本体の一部が水面から上方に突出する浮力を有することを特徴とする釣針外し。
【請求項２】
前記浮力は、前記釣針外し本体を水より比重が小さい材料で形成して得られることを特徴とする請求項１に記載の釣針外し。
【請求項３】
前記釣針外し本体は、棒状に形成され、この釣針外し本体の一端部に、前記釣針外し部が設けられ、この釣針外し本体の他端部が水面から突出することを特徴とする請求項１又は２に記載の釣針外し。
【請求項４】
前記釣針外し本体の一部が水面から上方に突出する長さ及び／又は水面に対する角度を調節する調節手段を設けたことを特徴とする請求項１〜３のいずれか１項に記載の釣針外し。
【請求項５】
前記調節手段は、着脱可能に取り付けられる重さの異なる複数の重りであることを特徴とする請求項４に記載の釣針外し。
【請求項６】
前記調節手段は、前記釣針外し本体を中空状に形成して、この釣針外し本体への水の量を調節して行うことを特徴とする請求項４に記載の釣針外し。
【請求項７】
釣針を魚から外す釣針外し具が着脱可能に取り付けられる取付部と、この取付部が設けられ、手で掴んで使用するグリップ本体とを備えた釣針外し用グリップであって、前記グリップ本体７１は、このグリップ本体の一部が水面から上方に突出する浮力を有することを特徴とする釣針外し用グリップ。
【請求項８】
前記浮力は、前記グリップ本体を水より比重が小さい材料で形成して得られることを特徴とする請求項７に記載の釣針外し用グリップ。
【請求項９】
前記グリップ本体は、棒状に形成され、このグリップ本体の一端部に、前記取付部が設けられ、このグリップ本体の他端部が水面から突出することを特徴とする請求項８に記載の釣針外し用グリップ。
【請求項１０】
前記グリップ本体の他端部が水面から上方に突出する長さ及び／又は水面に対する角度を調節する調節手段を設けたことを特徴とする請求項７〜９のいずれか１項に記載の釣針外し用グリップ。
【請求項１１】
前記調節手段は、重さの異なる複数の重りであることを特徴とする請求項１０に記載の釣針外し用グリップ。
【請求項１２】
前記調節手段は、前記グリップ本体を中空状に形成して、このグリップ本体への水の量を調節して行うことを特徴とする請求項１０に記載の釣針外し用グリップ。
【発明の詳細な説明】
【技術分野】
【０００１】  本発明は、素早く釣針を外すことができる釣針外し及び釣針外し用グリップに関するものである。
【背景技術】
【０００２】  釣った魚から釣針を外す道具として釣針外しが知られている。釣針外しは、魚から釣針が外し難いときや、魚を素早く釣針から外し水槽へ入れるときに用いられている。特に泳がせ釣り（小さな魚を釣りこの小さな魚をエサにしてより大きな魚を釣る釣り）では、小さな魚を釣り素早く釣針から魚を外さないと、大きな魚を釣るときにエサとなる小さな魚が弱って元気よく泳がなくなるので、素早く釣針を外すときに釣針外しが用いられている。【０００３】  ところで、市販されている釣針外しは、金属製のものがほとんで、水へは浮かず水に沈んでしまう。水に落としたりすると、沈んで紛失したり探すのに多くの時間を費やしたりする。特に船釣りでは、船の揺れ等で釣針外しが転がったり水槽の中へ落ちたりして、素早く釣針を魚から外すことができなくなってしまうことがあった。【０００４】  また、釣針外しとしては、水に沈むことなく水に浮く釣針外しが提案されている（例えば、特許文献１、２参照。）。特許文献１に記載されている釣針外しは、合成樹脂または合成樹脂を基材とする材料を用いることによって、水中または水上に浮遊させるものである。また、特許文献２に記載されている釣針外しは、空洞に形成して、浮きと併用させたものでる。しかし、特許文献１に記載されている釣針外しは、水中または水上に浮遊させるとあるだけで、どのように浮遊させるかが不明である。単純に水上に浮遊させるとは、水面に横たわった状態もある。このように、釣針外しが水面に横たわった状態で浮いていると、釣針外しを掴み難く素早く釣針を外すことができない。また、特許文献２に記載されている釣針外しは、浮きを兼用しているために、釣針外しのみとして使用する場合には、浮きは水に水面に横たわった状態で浮くので、釣針外しを掴み難く素早く釣針を外すことができない。
【特許文献１】  特許第２８８９５６４号公報
【特許文献２】  特開平９−１０７８５８号公報
【発明の開示】
【発明が解決しようとする課題】
【０００５】  本発明の目的は、素早く釣針を外すことが可能となる釣針外し及び釣針外し用グリップを提供することにある。
【課題を解決するための手段】
【０００６】  前記の目的を達成するための本発明に係る釣針外しは、釣針を魚から外す釣針外し部と、この釣針外し部が取り付けられている釣針外し本体とを備えた釣針外しであって、前記釣針外し本体は、この釣針外し本体の一部が水面から上方に突出する浮力を有することを特徴とする。【０００７】  本発明に係る釣針外しにおいて、前記浮力は、前記釣針外し本体を水より比重が小さい材料で形成して得られることが好ましい。また、本発明に係る釣針外しにおいて、前記釣針外し本体は、棒状に形成され、この釣針外し本体の一端部に、前記釣針外し部が設けられ、この釣針外し本体の他端部が水面から突出することが好ましい。また、本発明に係る釣針外しにおいて、前記釣針外し本体の一部が水面から上方に突出する長さ及び／又は水面に対する角度を調節する調節手段を設けることが好ましい。また、本発明に係る釣針外しにおいて、前記調節手段は、着脱可能に取り付けられ、重さの異なる複数の重りであることが好ましい。また、本発明に係る釣針外しにおいて、前記調節手段は、前記釣針外し本体を中空状に形成して、この釣針外し本体への水の量を調節して行うことが好ましい。【０００８】  また、前記の目的を達成するための本発明に係る釣針外し用グリップは、釣針を魚から外す釣針外し具が着脱可能に取り付けられる取付部と、この取付部が設けられ、手で掴んで使用するグリップ本体とを備えた釣針外し用グリップであって、前記グリップ本体は、このグリップ本体の一部が水面から上方に突出する浮力を有することを特徴とする。【０００９】  本発明に係る釣針外し用グリップにおいて、前記グリップ本体を水より比重が小さい材料で形成して得られることが好ましい。また、本発明に係る釣針外し用グリップにおいて、前記グリップ本体は、棒状に形成され、このグリップ本体の一端部に、前記取付部が設けられ、このグリップ本体の他端部が水面から突出することが好ましい。また、本発明に係る釣針外し用グリップにおいて、前記グリップ本体の他端部が水面から上方に突出する長さ及び／又は水面に対する角度を調節する調節手段を設けることが好ましい。また、本発明に係る釣針外し用グリップにおいて、前記調節手段は、重さの異なる複数の重りであることが好ましい。また、本発明に係る釣針外し用グリップにおいて、前記調節手段は、前記グリップ本体を中空状に形成して、このグリップ本体への水の量を調節して行うことが好ましい。
【発明の効果】
【００１０】  本発明に係る釣針外しは、釣針外し本体が浮力を有して釣針外し本体の一部が水面から上方に突出するので、水槽等の水の中に浮かべておくと、釣針外し本体を簡単に掴むことができ、素早く魚から釣針を外すことができる。
【発明を実施するための最良の形態】
【００１１】  以下、本発明に係る釣針外し及び釣針外し用グリップを添付図面に基づいて詳述する。【００１２】  図１は本発明に係る第１の釣針外しの一例を示す図である。本発明に係る第１の釣針外しは、図１に示すように、釣針を魚から外す釣針外し部３と、この釣針外し部３が設けられる釣針外し本体２とを備え、釣針外し本体２が、釣針外し本体２の一部が水面から上方に突出する浮力を有することに特徴がある。【００１３】  釣針外し部３は、魚から釣針を外すことができれば、特に限定されず、例えば、市販等されている釣針外し具の魚から釣針を外す部分を含む棒状に形成されている。すなわち、この釣針外し部３は、例えば、金属製の棒状の先端部を鉤状にしたものや、金属製の平板棒状の先端部に孔を設けると共にこの先端部の側部から孔に連通する溝を設けてこの溝から糸や釣り針を孔に通すもの等である。この釣針外し部３の他端部である基部が釣針外し本体２に設けられている。【００１４】  釣針外し本体２は、釣針外し本体２の一部が水面から上方に突出する浮力を有するものである。この水面から上方に突出する釣針外し本体２の一部は、釣針外し部３が含まれていなくても含まれていてもどちらでもよい。すなわち、釣針外し本体２が棒状に形成され、この一端部に釣針外し部が設けられている場合、釣針外し本体２の他端部が水面から上方に突出してもよいし、釣針外し部３を含む釣針外し本体２の一端部が水面から上方に突出してもよい。【００１５】  釣針外し本体２は、例えば、浮力を有するために海水や淡水より比重が小さい材料（比重小材料）で形成されている。比重小材料としては、特に限定されず、例えば、プラスチックなどの合成樹脂、木材等である。釣針外し本体２は、釣針外し本体２の全体の比重が海水や淡水より小さければ、他の材料を含んでもよい。釣針外し本体２の構造や形状は、どのように形成してもよく、例えば、円形、楕円形、矩形、三角形、多角形等の棒状に形成されている。特に、釣針外し本体２は、円形の棒状に形成されていることが好ましい。この釣針外し本体２の一端部に、釣針外し部３が略同軸上に設けられている。この場合、釣針外し本体２の全部を同一の比重小材料で形成すると、水の中に入れたとき、釣針外し部３が金属で形成されているために、この釣針外し部３（及び釣針外し部３が設けられている一端部）が水中に沈み、釣針外し本体２の他端部が水面から上方に垂直に立つように釣針外し本体２を形成することが好ましい。釣針外し本体２の水面からの突出は、水面から突出していれば特に限定されず、例えば、水面から垂直に立つ垂直状態（水面に対して９０°（略９０°を含む。）の状態）でもよいし、この垂直状態から傾斜した傾斜状態でもどちらでもよい。【００１６】  このように、釣針外し本体２が浮力を有して釣針外し本体２の一部が水面から上方に突出するので、水槽等の水の中に浮かべておくと、釣針外し本体２を簡単に掴むことができ、素早く魚から釣針を外すことができる。すなわち、本発明に係る第１の釣針外し１を例えば水槽１１の中の水に入れると、釣針外し本体２が浮力を有するために、釣針外し本体２の他端部が水面から上方に垂直に立つ（突出する）。このため、魚を釣り上げこの釣った魚か��釣針を外すのに、水面から上方に立っている釣針外し本体２を迅速に掴むことができるので、魚から釣針を素早く外すことができる。特に泳がせ釣りの場合は、大きな魚を釣るためのエサとなる小さな魚から釣針を素早く外すことができるので、有効である。また、船釣りの場合には、水槽１１の中に釣針外し１を入れておくことにより、釣針外し１が船の揺れ等でどこかに転がったり落ちたりして見つからなくなることもない、すなわち、見失うこともないので、魚から釣針を素早く外すことができる。また、釣針外し部３とは反対側の釣針外し本体２の他端部である柄の部分が水面から突出していることで、釣針外し本体２を掴んで持ち替えることなく釣針を外す動作を行えるので、魚から釣針をより素早く外すことができる。【００１７】  図２は本発明に係る第２の釣針外しの一例を示す図である。この第２の釣針外しは、図２に示すように、釣針外し本体２の中央部に、例えば、球状、楕円球状、立方体状等の浮力部２１を設けて、この浮力部２１が水面に位置されるように形成するものである。このように、釣針外し本体２の中央部に浮力部２１を設けた第２の釣針外し２０は、前述と同様に魚から釣針を素早く外すことができ、さらに、確実に釣針外し２０を水に浮かべることができる。【００１８】  図３は本発明に係る第３の釣針外しの一例を示す図である。この第３の釣針外しは、図３に示すように、釣針外し本体２の水面から突出する長さや角度を調節手段３１によって調節し得るようにしたものである。調節手段３１は、長さのみを調節するようにしてもよいし、角度のみを調節するようにしてもよいし、長さと角度の両方を調節するようにしてもよい。調節手段３１としては、特に限定されず、例えば、重さの異なる大中小の３つも重り３３，３４，３５等である。３つの重り３３，３４，３５は、重さが異なり、長さの調節や角度の調節を行えるものであれば、材料に関しては特に限定されないが、好ましくは耐水性のよい材料で形成されていることが好ましい。また、表面が耐水性材料で形成されているものでもよい。３つの重り３３，３４，３５は、例えば、釣針外し本体２の一端面に当接又は近接させた状態で釣針外し部３に着脱可能にそれぞれ装着される。３つの重り３３，３４，３５は、例えば、同一材料で略円錐形であって高さが異なるすなわち底面の円形の径が異なって重さが異なるように形成されている。３つの重り３３，３４，３５には、水面から同軸までの間であって軸方向に延びるスリット状の装着部３３ａ，３４ａ，３５ａがそれぞれ設けられている。この装着部３３ａ，３４ａ，３５ａの幅は、釣針外し部３への装着及び取り外しが行えるように釣針外し部３の厚さより小さい例えば若干小さい寸法で形成されている。３つの重り３３，３４，３５を装着する釣針外し本体２（重り３３，３４，３５が装着されていないときの釣針外し本体２）の浮力は、釣針外し本体２が水面から垂直状態で突出してもよいし傾斜状態でもよく、例えば、釣針外し本体２が水面から傾斜状態で突出するように形成されている（図３（ｄ）参照。）。釣針外し本体２を有する釣針外しに装着する３つの重り３３，３４，３５は、例えば、小の重り３５が傾斜角度を垂直状態に近づく角度に調節���るように形成され（図３（ｃ）参照。）、中の重り３４が垂直状態になるように形成され（図３（ｂ）参照。）、大の重り３３が中の重り３４より水面から突出する長さを短くなるように形成されている（図３（ａ）参照。）ものである。なお、３つの重りを釣針外し本体２に着脱可能にそれぞれ装着するようにしてもよい。【００１９】  このように、調節手段３１を設けた第３の釣針外し３０は、前述と同様に魚から釣針を素早く外すことができ、さらに、水面から突出する釣針外し本体２の角度や長さを調節することができるので、いろいろな状況に応じて釣針外し本体２の角度や長さを変えられると共に、好みに応じて釣針外し本体２の角度や長さを変えられる。【００２０】  図４及び図５は本発明に係る第４の釣針外しを示す図である。この第４の釣針外しは、図４及び図５に示すように、調節手段の他の例（第２の調節手段４５）を示すものである。この第２の調節手段４５は、釣針外し本体４１を中空状に形成して、この釣針外し本体４１への水の出し入れを行って釣針外し本体４１の水の量を調節して釣針外し本体４１の水面から突出する長さや角度を調節し得るようにしたものである。釣針外し本体４１は、中空状に形成して中空部４２を形成し、この中空部４２への水の出し入れを行えるならばどのように形成してもよい。中空部４２は、釣針外し本体の略全域に形成してもよいし、一部に形成してもよく、また、中空部を２つ以上釣針外し本体に形成してもよい。中空部４２は、例えば、釣針外し本体４２の略全域に形成されており、この中空部４２を形成する釣針外し本体４１には、例えば、２つの貫通孔４６，４７が設けられている。２つの貫通孔４６，４７は、１つが水を出し入れする孔で、残りの１つが空気孔として利用してもよく、このようにすると、中空部への水の出し入れを簡単に行える。これら貫通孔４６，４７は、両方とも栓４８を用いて塞いでもよいし、どちらか一方の孔４６，４７を栓４８で塞ぐようにしてもよいし、両方の孔４６，４７を開放するようにしてもよい。また、図５に示すように中空部４４を釣針外し本体４１の中央部を楕円状等に形成してこの中に形成するようにしてもよい。このように、第２の調節手段４５を設けた第４の釣針外し４０は、前述と同様に魚から釣針を素早く外すことができ、さらに、水面から突出する釣針外し本体４１の角度や長さを微調節することができるので、いろいろな状況に応じて釣針外し本体４１の角度や長さを変えられると共に、好みに応じて釣針外し本体４１の角度や長さを変えられる。【００２１】  図６は本発明に係る釣針外し用グリップの一例を示す図である。本発明に係る釣針外し用グリップは、図６に示すように、釣針を魚から外す釣針外し具８０が着脱可能に取り付けられる取付部７２と、この取付部７２が設けられ、手で掴んで使用するグリップ本体７１とを備え、グリップ本体７１が、グリップ本体７１の一部が水面から上方に突出する浮力を有することに特徴がある。釣針外し具８０は、特に限定されず、例えば、市販等されているもので、例えば、金属製の棒状の先端部を鉤状にしたものや、金属製の平板棒状の先端部に孔を設けると共にこの先端部の側部から孔に連通する溝を設けたもの等である。【００���２】  グリップ本体７１は、釣針外し具８０が取り付けられた状態で、グリップ本体７１の一部が水面から上方に突出する浮力を有するものである。この水面から上方に突出するグリップ本体７１の一部は、釣針外し具８０が含まれていなくても含まれていてもどちらでもよい。すなわち、グリップ本体７１が棒状に形成され、この一端部に釣針外し具８０が取り付けられている場合、グリップ本体７１の他端部が水面から上方に突出してもよいし、釣針外し具８０を含むグリップ本体７１の一端部が水面から上方に突出してもよい。【００２３】  グリップ本体７１は、例えば、浮力を有するために海水や淡水より比重が小さい材料（比重小材料）で形成されている。比重小材料としては、特に限定されず、例えば、プラスチックなどの合成樹脂、木材等である。グリップ本体７１は、グリップ本体７１の全体の比重が海水や淡水より小さければ、他の材料を含んでもよい。グリップ本体７１の構造や形状は、どのように形成してもよく、例えば、円形、楕円形、矩形、三角形、多角形等の棒状に形成されている。特に、グリップ本体７１は、円形の棒状に形成されていることが好ましい。このグリップ本体７１の一端部に、釣針外し具８０が略同軸上に取り付けられている。この場合、グリップ本体７１の全部を同一の比重小材料で形成すると、水の中に入れたとき、釣針外し具８０が金属で形成されているために、この釣針外し具８０（及び釣針外し具８０が取り付けられている一端部）が水中に沈み、グリップ本体７１の他端部が水面から上方に垂直に立つようにグリップ本体７１を形成することが好ましい。グリップ本体７１の水面からの突出は、水面から突出していれば特に限定されず、例えば、水面から垂直に立つ垂直状態（水面に対して９０°（略９０°を含む。）の状態）でもよいし、この垂直状態から傾斜した傾斜状態でもどちらでもよい。このグリップ本体７１の一端部に釣針外し具８０を着脱可能に取り付ける取付部７２が設けられている。【００２４】  取付部７２は、釣針外し具８０を着脱可能に取り付けることができれば特に限定されず、例えば、グリップ本体７１の一端面の略同軸上に設けられ、釣針外し具８０が挿入されて嵌合される装着孔７３と、このグリップ本体７１の一端部に装着孔７３に連通されるスリット７４と、このグリップ本体７１の一端部の外周に設けられ、スリット７４の間隔を狭くしてグリップ本体７１の一端部に釣針外し具８０を固定した状態で取り付けるための締付部材７５とを備えてなる。スリット７４は、径方向に１つだけ設けてもよいし、直径方向に設けるようにしてもよい。締付部材７５は、特に限定されず、例えば、グリップ本体７１の一端部の外周にその周方向に設けられた装着凹部７１ａに取り付けられている。この締付部材７５は、例えば、装着凹部７１ａの外周に巻きつけられる締付リング部材７６と、締付リング部材７６の一端部に取り付けられ、ネジ溝が設けられている取付孔７７ａを有する取付部材７７と、締付リング部材７６の他端部に取り付けられ、取付部材７７の取付孔７７ａに螺合して締付リング部材７６の両端部の間隔を変えることで、グリップ本体７１の取付部７２への釣針外し具８０の取付及び取外しを行うためのネジやボルト等の螺合部材７８とからなる。尚、スリットの両端部にフランジ部をそれぞれ設け、これらフランジ部の間隔を例えばネジやボルト等の螺合部材によって調節してグリップ本体７１の取付部への釣針外し具の取付及び取外しを行うようにしてもよい。【００２５】  このように、グリップ本体７１が浮力を有してグリップ本体７１の一部が水面から上方に突出するので、水槽等の水の中に浮かべておくと、グリップ本体７１を簡単に掴むことができ、素早く魚から釣針を外すことができる。すなわち、グリップ本体７１の取付部７２に釣針外し具８０を取り付けた後、この釣針外し用グリップ７０を例えば水槽の中の水に入れると、グリップ本体７１が浮力を有するために、グリップ本体７１の他端部が水面から上方に垂直に立つ（突出する）。このため、魚を釣り上げこの釣った魚から釣針を外すのに、水面から上方に立っているグリップ本体７１を迅速に掴むことができるので、魚から釣針を素早く外すことができる。特に泳がせ釣りの場合は、大きな魚を釣るためのエサとなる小さな魚から釣針を素早く外すことができるので、有効である。また、船釣りの場合には、水槽の中に釣針外しを入れておくことにより、釣針外し７０が船の揺れ等でどこかに転がったり落ちたりして見つからなくなることもない、すなわち、見失うこともないので、魚から釣針を素早く外すことができる。また、釣針外し部７２とは反対側のグリップ本体７１の他端部である柄の部分が水面から突出していることで、グリップ本体７１を掴んで持ち替えることなく釣針を外す動作を行えるので、魚から釣針をより素早く外すことができる。また、締付部材７５によって釣針外し具８０の取付及び取外しを行えるので、所望の釣針外し具８０を取り付けることができ、好みや魚に応じて任意の釣針外し具８０を取り付けることができる。【００２６】  なお、前述の釣針外しと同様にグリップ本体７１に、例えば、球状、楕円球状、立方体状等の浮力部を設けるようにしてもよい。この場合、前述と同様に魚から釣針を素早く外すことができ、さらに、確実に釣針外し用グリップを水に浮かべることができる。また、前述の釣針外しと同様に調節手段を設けるようにしてもよい。調節手段としては、重りでもよいし、グリップ本体７１を水の出し入れを行え得るように中空状に形成してもよい。この場合、前述と同様に魚から釣針を素早く外すことができ、さらに、水面から突出する釣針外し本体の角度や長さを調節することができるので、いろいろな状況に応じて釣針外し本体の角度や長さを変えられると共に、好みに応じて釣針外し本体の角度や長さを変えられる。
【図面の簡単な説明】
【００２７】
【図１】  本発明に係る第１の釣針外しの一例を示す概略斜視図である。
【図２】  本発明に係る第２の釣針外しの一例を示す概略斜視図である。
【図３】  本発明に係る第３の釣針外しの一例を示す概略側面図で、（ａ）は大の重りを装着した図、（ｂ）は中の重りを装着した図、（ｃ）は小の重りを装着した図、（ｄ）は重りを装着していない図である。
【図４】  本発明に係る第４の釣針外しの一例を示す概略斜視図で、（ａ）は水の量が半分より少ない場合の図、（ｂ）は水の量が半分より多い場合の図、（ｃ）は水の量が半分より少ない場合の図、（ｄ）は水の量が半分より多い場合の図である。
【図５】  本発明に係る第４の釣針外しの他の例を示す斜視図である。
【図６】  本発明に係る釣針外し用グリップの一例を示す概略斜視図で、（ａ）は釣外し具を装着していない図、（ｂ）は釣外し具を装着した図である。
【符号の説明】
【００２８】  １  釣針外し
２  釣針外し本体
３  釣針外し部
【図１】
2008054692.tif 000003
【図２】
2008054692.tif 000004
【図３】
2008054692.tif 000005
【図４】
2008054692.tif 000006
【図５】
2008054692.tif 000007
【図６】
2008054692.tif 000008